(57)【要約】【課題】電子機器が他機と通信する条件の決定方法を改善すること。【解決手段】態様の１つにおいて、電子機器１は、衛星が出力する信号に基づいて自機の位置情報を検出する位置検出部（例えば、ＧＰＳレシーバ１８）と、他機と通信する通信ユニット６と、コントローラ１０と、を有する。コントローラ１０は、位置検出部による検出機能が有効であるときに、位置検出部の検出精度が悪化したと判定すると、通信ユニット６による他機との通信を抑制する。【選択図】図１
2018033034.tif 000002
【特許請求の範囲】
【請求項１】
衛星が出力する信号に基づいて自機の位置情報を検出する位置検出部と、
他機と通信する通信ユニットと、
コントローラと、を有し、
前記コントローラは、
前記位置検出部による検出機能が有効であるときに、前記位置検出部の検出精度が悪化したと判定すると、前記他機との通信を抑制する電子機器。
【請求項２】
利用者の移動状態の判定に用いる情報を取得するセンサを少なくとも一つ有し、
前記コントローラは、
前記センサが取得した情報に基づいて、前記利用者が乗り物に乗っている状態であると判定すると、前記位置検出部の検出精度が悪化していないときでも、前記他機との通信を抑制する請求項１に記載の電子機器。
【請求項３】
前記コントローラは、
前記位置検出部の検出精度が悪化したと判定した場合、前記センサが取得した情報に基づいて、前記利用者の連続した歩行を検出すると、前記連続した歩行の歩数が所定の歩数よりも小さい間は、前記他機との通信を抑制する請求項２に記載の電子機器。
【請求項４】
前記コントローラは、
前記位置検出部の検出精度が悪化したと判定した場合、前記センサが取得した情報に基づいて、前記位置検出部の検出精度が回復したと判定すると、前記他機との通信の抑制を解除する請求項２に記載の電子機器。
【請求項５】
前記コントローラは、
前記位置検出部の検出精度が悪化したと判定した場合、前記センサが取得した情報に基づいて、前記利用者の歩数と方向を検出し、検出した歩数と方向に基づいて前記利用者が所定の位置に到達したと判定すると、前記他機との通信の抑制を解除する請求項２に記載の電子機器。
【請求項６】
前記コントローラは、
前記位置検出部の検出精度が悪化したと判定した場合、前記センサが取得した温度情報に基づいて、所定の温度変化を検出すると、前記他機との通信の抑制を解除する請求項２に記載の電子機器。
【請求項７】
位置検出部と、通信ユニットと、を有する電子機器の制御方法であって、
衛星が出力する信号に基づいて自機の位置情報を前記位置検出部によって検出するステップと、
前記位置検出部による検出が有効であるときに、前記位置検出部の検出精度が悪化したと判定すると、前記通信ユニットによる他機との通信を抑制するステップと、
を含む制御方法。
【請求項８】
位置検出部と、通信ユニットと、を有する電子機器に、
衛星が出力する信号に基づいて自機の位置情報を前記位置検出部によって検出するステップと、
前記位置検出部による検出が有効であるときに、前記位置検出部の検出精度が悪化したと判定すると、前記通信ユニットによる他機との通信を抑制するステップと、
を実行させる制御プログラム。
【発明の詳細な説明】
【技術分野】
【０００１】
本出願は、電子機器、制御方法、及び制御プログラムに関する。
【背景技術】
【０００２】
従来の電子機器には、近距離無線による通信方法を用いて外部機器と通信を行うものがある（例えば、特許文献１参照）。
【先行技術文献】
【特許文献】
【０００３】
【特許文献１】特開２００２−３２９２２３号公報
【発明の概要】
【発明が解決しようとする課題】
【０００４】
上記の電子機器には、他機と通信する条件の決定方法に改善の余地があった。
【課題を解決するための手段】
【０００５】
態様の１つに係る電子機器は、衛星が出力する信号に基づいて自機の位置情報を検出する位置検出部と、他機と通信する通信ユニットと、コントローラと、を有する。前記コントローラは、前記位置検出部による検出機能が有効であるときに、前記位置検出部の検出精度が悪化したと判定すると、前記他機との通信を抑制する。
【０００６】
態様の１つに係る制御方法は、位置検出部と、通信ユニットと、を有する電子機器の制御方法であって、衛星が出力する信号に基づいて自機の位置情報を前記位置検出部によって検出するステップと、前記位置検出部による検出が有効であるときに、前記位置検出部の検出精度が悪化したと判定すると、前記通信ユニットによる他機との通信を抑制するステップと、を含む。
【０００７】
態様の１つに係る制御プログラムは、位置検出部と、通信ユニットと、を有する電子機器に、衛星が出力する信号に基づいて自機の位置情報を前記位置検出部によって検出するステップと、前記位置検出部による検出が有効であるときに、前記位置検出部の検出精度が悪化したと判定すると、前記通信ユニットによる他機との通信を抑制するステップと、を実行させる。
【図面の簡単な説明】
【０００８】
【図１】図１は、電子機器の機能構成の一例を示すブロック図である。
【図２】図２は、電子機器による制御の一例の処理手順を示すフローチャートである。
【図３】図３は、電子機器による制御の他の一例の処理手順を示すフローチャートである。
【図４】図４は、電子機器による制御の他の一例の処理手順を示すフローチャートである。
【図５】図５は、電子機器による制御の他の一例の処理手順を示すフローチャートである。
【図６】図６は、電子機器による制御の他の一例の処理手順を示すフローチャートである。
【図７】図７は、報知システムのシステム構成の一例を示すシステム図である。
【発明を実施するための形態】
【０００９】
本出願に係る電子機器、制御方法、及び制御プログラムを実施するための実施形態を、図面を参照しつつ詳細に説明する。電子機器は、例えば、スマートフォン、携帯電話機、ウェアラブル装置、タブレット、携帯型パソコン、デジタルカメラ、メディアプレイヤ、電子書籍リーダ、ナビゲータ、及びゲーム機を含むが、これに限定されない。以下の説明において、同様の構成要素について同一の符号を付すことがある。さらに、重複する説明は省略することがある。
【００１０】
図１を参照しつつ、複数の実施形態の一例に係る電子機器１の機能構成の一例を説明する。図１は、電子機器１の機能構成の一例を示すブロック図である。
【００１１】
図１に示すように、電子機器１は、タッチスクリーンディスプレイ２と、１もしくは複数のボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、地磁気センサ１６と、角速度センサ１７と、ＧＰＳ（Ｇｌｏｂａｌ  Ｐｏｓｉｔｉｏｎｉｎｇ  Ｓｙｓｔｅｍ）レシーバ１８と、温度センサ１９とを含む。以下の説明において、電子機器１を「自機」と表記する場合がある。
【００１２】
タッチスクリーンディスプレイ２は、ディスプレイ２Ａと、タッチスクリーン２Ｂとを含む。ディスプレイ２Ａ及びタッチスクリーン２Ｂは、例えば、重なって位置してもよいし、並んで位置してもよいし、離れて位置してもよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。ディスプレイ２Ａは、文字、画像、記号、及び図形等のオブジェクトを画面内に表示できる。
【００１４】
タッチスクリーン２Ｂは、タッチスクリーン２Ｂに対する１もしくは複数の指、１もしくは複数のペン、または１もしくは複数のスタイラスペン等の接触又は近接を検出できる。タッチスクリーン２Ｂは、１もしくは複数の指、１もしくは複数のペン、又は１もしくは複数のスタイラスペン等がタッチスクリーン２Ｂに接触又は近接したときのタッチスクリーン２Ｂ上の位置を検出できる。タッチスクリーン２Ｂが検出する指、ペン、及びスタイラスペン等は、「指」と表記する場合がある。ある実施形態において、タッチスクリーン２Ｂは、検出方式として静電容量方式、抵抗膜方式又は荷重検出方式を適宜採用できる。
【００１５】
コントローラ１０は、タッチスクリーン２Ｂにより検出された検出結果に基づいて、ジェスチャの種別を判別できる。検出結果は、例えば、接触の数、接触が検出された位置、接触が検出された位置の変化、接触が検出された時間的長さ、接触が検出された時間的間隔、及び接触が検出された回数を含む。コントローラ１０が行える動作を、コントローラ１０を有する電子機器１は実行できる。言い換えると、コントローラ１０が行う動作は、電子機器１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２に対して行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１６】
ボタン３は、利用者からの操作入力を受け付ける。ボタン３は、利用者からの操作入力を受け付けると、コントローラ１０に操作入力を受け付けた旨を通知する。ボタン３の数は、単数であっても、複数であってもよい。
【００１７】
照度センサ４は、照度を検出できる。照度は、照度センサ４の測定面の単位面積に入射する光束の値である。照度センサ４は、例えば、ディスプレイ２Ａの輝度の調整に用いてもよい。
【００１８】
近接センサ５は、近隣の物体の存在を非接触で検出できる。近接センサ５は、磁界の変化又は超音波の反射波の帰還時間の変化等に基づいて物体の存在を検出する。近接センサ５は、例えば、ディスプレイ２Ａに利用者の顔が接近したことを検出するのに用いてもよい。照度センサ４及び近接センサ５は、１つのセンサとして構成されていてもよい。照度センサ４は、近接センサとして用いられてもよい。
【００１９】
通信ユニット６は、無線により通信できる。通信ユニット６は、無線通信規格をサポートする。通信ユニット６によってサポートされる無線通信規格には、例えば、２Ｇ、３Ｇ、４Ｇ、５Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１（ＩＥＥＥは、Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．の略称である）、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）、Ｚ−Ｗａｖｅ、ＷｉＳｕｎ（Ｗｉｒｅｌｅｓｓ  Ｓｍａｒｔ  Ｕｔｉｌｉｔｙ  Ｎｅｔｗｏｒｋ）が含まれる。通信ユニット６は、上述した通信規格の１つ又は複数をサポートしていてもよい。
【００２０】
通信ユニット６は、例えば、道路、交差点等の付近に設置される路側機との通信を可能とするための複数の通信規格をさらにサポートする。交差点は、２本以上の道路が交差する部分を含む。通信規格は、例えば、双方向通信を可能とするＤＳＲＣ（Ｄｅｄｉｃａｔｅｄ  Ｓｈｏｒｔ  Ｒａｎｇｅ  Ｃｏｍｍｕｎｉｃａｔｉｏｎ）を含む。実施形態の１つの例において、通信ユニット６は、路側機が所定の通信エリア内に発信した電波を受信できる。通信ユニット６は、例えば、路側機、他の電子機器等で受信可能な電波を発信できる。所定の通信エリアは、所定のエリアの一例である。所定のエリアは、例えば、道路の近傍のエリアを含んでもよい。所定のエリアは、例えば、交差点、駐車場等のエリアを含んでもよい。
【００２１】
レシーバ７は、コントローラ１０から送信される音信号を音として出力できる。レシーバ７は、例えば、電子機器１にて再生される動画の音、音楽の音、及び通話時の相手の声を出力できる。マイク８は、入力される利用者の声等を音信号へ変換してコントローラ１０へ送信する。
【００２２】
ストレージ９は、プログラム及びデータを記憶できる。ストレージ９は、コントローラ１０の処理結果を一時的に記憶する作業領域として利用してもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２３】
ストレージ９に記憶されるプログラムには、フォアグランド又はバックグランドで実行されるアプリケーションと、アプリケーションの動作を支援する基本プログラムとが含まれる。アプリケーションの画面は、例えば、フォアグランドで実行される場合に、ディスプレイ２Ａに表示される。基本プログラムには、例えば、ＯＳが含まれる。アプリケーション及び基本プログラムは、通信ユニット６による無線通信又は非一過的な記憶媒体を介してストレージ９にインストールされてもよい。
【００２４】
ストレージ９は、例えば、制御プログラム９Ａ、加速度データ９Ｂ、状態データ９Ｃ、判別データ９Ｄ、位置データ９Ｅ、温度データ９Ｆ、及び設定データ９Ｚ等を記憶できる。加速度データ９Ｂは、加速度センサ１５が検出した加速度値に関する情報を含む。状態データ９Ｃは、電子機器１の移動状態を示す情報を含む。判別データ９Ｄは、電子機器１の移動状態の判別に用いる情報を含む。位置データ９Ｅは、ＧＰＳレシーバ１８が検出した自機の位置に関する情報を含む。温度データ９Ｆは、温度センサ１９が検出した温度に関する情報を含む。設定データ９Ｚは、電子機器１の動作に関する各種の設定に関する情報を含む。
【００２５】
制御プログラム９Ａは、電子機器１を稼働させるための各種制御に関する機能を提供できる。制御プログラム９Ａは、例えば、通信ユニット６、レシーバ７、及びマイク８等を制御することによって、通話を実現させる。制御プログラム９Ａが提供する機能には、加速度センサ１５等を制御することによって、自機の複数の移動状態を判別する機能が含まれる。
【００２６】
例えば、電子機器１の複数の移動状態は、停止状態、静止状態、歩行状態、走行状態、乗り物での移動状態、自転車での移動状態を含む。停止状態は、自機を携帯している利用者が停止している状態を含む。静止状態は、自機が置かれた状態を含む。歩行状態は、自機を携帯している利用者が歩行している状態を含む。走行状態は、自機を携帯している利用者が走行している状態を含む。乗り物での移動状態は、自機を携帯している利用者が乗り物で移動している状態を含む。乗り物は、例えば、自動車、電車、バス、飛行機、バイク等を含む。自転車での移動状態は、自機を携帯している利用者が自転車で移動している状態を含む。
【００２７】
制御プログラム９Ａは、ＧＰＳレシーバ１８の検出精度が悪化したか否かを判定する機能を提供できる。例えば、ＧＰＳレシーバ１８の検出精度が悪化したとは、ＧＰＳで用いられる複数の測位衛星から受信する信号の強度、感度等が劣化した場合を含む。例えば、電子機器１を携帯する利用者が屋外から屋内に移動した場合、ＧＰＳレシーバ１８は、測位衛星からの信号を受信しにくくなったり、測位衛星からの信号を受信できなくなったりする。すなわち、電子機器１は、ＧＰＳレシーバ１８の検出精度が悪化した場合、利用者が屋内、地下等に入ったと推定できる。制御プログラム９Ａは、ＧＰＳレシーバ１８の検出精度に基づいて、通信ユニット６による他機との通信を制御する機能を提供できる。
【００２８】
制御プログラム９Ａは、ＧＰＳレシーバ１８の検出精度が悪化した位置が、予め登録されている利用者の自宅、会社等の位置と一致している場合に、利用者が安全な場所にいると推定する機能を提供できる。例えば、屋外にいる利用者は、道路等に飛び出す可能性がある。このため、自動車を運転する運転者は、安全な場所にいない人を危険の対象として注意する必要があるが、安全な場所にいる人を危険の対象として注意する必要はない。
制御プログラム９Ａは、交通に係る利用者の情報を、通信ユニット６の近距離無線通信によって他機に送信する機能を提供できる。例えば、交通に係る利用者の情報は、道路に利用者が飛び出す可能性がある旨を報知するための情報を含む。例えば、交通に係る利用者の情報は、利用者の存在を車両の運転者に報知するための情報を含む。
【００２９】
加速度データ９Ｂは、加速度センサ１５の検出結果としてコントローラ１０に送信されてくる複数の加速度情報を含む。加速度データ９Ｂは、複数の加速度情報を時系列で示すことができる。加速度情報は、例えば、時間と、加速度値とを含む。時間は、加速度センサ１５によって加速度の方向および大きさを検出した時間を示す。加速度値は、加速度センサ１５によって検出した加速度の方向および大きさの値を示す。
【００３０】
例えば、コントローラ１０には、加速度センサ１５の検出結果が送信されてくる。検出結果は、Ｘ軸方向の加速度値と、Ｙ軸方向の加速度値と、Ｚ軸方向の加速度値と、各加速度値を合成したベクトル値とを含む。コントローラ１０は、加速度センサ１５の検出結果をストレージ９の加速度データ９Ｂにロギングする。コントローラ１０は、Ｘ軸方向の加速度値、Ｙ軸方向の加速度値、およびＺ軸方向の加速度値を演算して合成ベクトル値を計算してもよい。
【００３１】
状態データ９Ｃは、自機の複数の状態を示す情報を含む。複数の状態は、例えば、停止状態、静止状態、歩行状態、走行状態、乗り物での移動状態、自転車での移動状態を含む。コントローラ１０は、自機の状態の変化の検出に応じて状態データ９Ｃを更新する。
【００３２】
判別データ９Ｄは、自機の複数の状態ごとに対応する加速度パターンを含む。加速度パターンは、自機の複数の状態ごとに、どのような加速度パターンが加速度センサ１５により特徴的に検出されるのかを予め計測し、抽出しておいた加速度パターンを含む。加速度パターンは、上述した合成ベクトル値のロギングしたデータに対応するように記憶される。判別データ９Ｄは、例えば、停止状態、静止状態、歩行状態、走行状態、乗り物での移動状態、自転車での移動状態等の状態の各々に対応した加速度パターンを含む。
【００３３】
例えば、コントローラ１０は、加速度データ９Ｂの合成ベクトルのパターンと判別データ９Ｄの加速度パターンとを比較し、一致した加速度パターンに対応付けられた状態を、電子機器１の状態として判別できる。なお、パターンの一致とは、完全に一致している場合、所定の割合で一致している場合を含む。
【００３４】
位置データ９Ｅは、位置情報を時系列的に記憶できる。位置情報は、例えば、位置を示す値と、検出時間とを含む。位置は、例えば、ＧＰＳレシーバ１８によって検出した緯度、経度を示す。時間は、例えば、ＧＰＳレシーバ１８によって位置を検出した時間を示す。位置データ９Ｅは、例えば、ＧＰＳレシーバ１８で受信した信号の強度、感度等を示す情報を含んでもよい。例えば、位置データ９Ｅは、ＧＰＳレシーバ１８の検出精度が悪化したことを示す情報を含んでもよい。位置データ９Ｅは、ＧＰＳレシーバ１８が位置を検出するごとに更新される。
【００３５】
温度データ９Ｆには、温度情報を時系列的に記憶できる。温度情報は、例えば、時間と、温度の値と、温度の変化量といった項目を含む。時間は、温度センサ１９によって温度を検出した時間を示す。温度の値は、温度センサ１９によって検出した温度の値を示す。温度の変化量は、温度センサ１９によって検出した温度の単位時間当たりの変化量を示す。温度データ９Ｆは、温度センサ１９が温度を検出するごとに更新される。
【００３６】
設定データ９Ｚは、制御プログラム９Ａなどにより提供される機能に基づいて実行される処理に用いられる各種データを含む。設定データ９Ｚは、ＧＰＳレシーバ１８による位置の検出機能が有効であるか否かを示す情報を含む。例えば、位置の検出機能が有効である場合、電子機器１は、ＧＰＳレシーバ１８によって自機の位置を検出できる。例えば、位置の検出機能が無効である場合、電子機器１は、ＧＰＳレシーバ１８によって自機の位置を検出しない。例えば、位置の検出機能が無効である場合、電子機器１は、ＧＰＳレシーバ１８を動作させない。
【００３７】
例えば、利用者は、自宅にいる場合、一定の行動範囲内で移動する傾向にある。この場合、利用者の連続する歩行は、一定の歩数以内に限定される。設定データ９Ｚは、屋外へ移動したことを推定するための第１閾値として、利用者に対応した一定の歩数を設定できる。
【００３８】
例えば、屋内と屋外との寒暖に差がある場合、温度センサ１９は、屋内と屋外との温度変化を検出できる可能性がある。電子機器１は、所定の温度変化を検出することで、利用者が屋内から屋外へ移動したと推定することができる。設定データ９Ｚは、屋内から屋外への利用者の移動を推定するための第２閾値と、温度の所定の変化量を設定できる。
【００３９】
コントローラ１０は、電子機器１の動作を統括的に制御して各種の機能を実現できる。コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含んでもよいが、これらに限定されない。ＳｏＣは、通信ユニット６等の他の構成要素が統合されていてもよい。
【００４０】
具体的には、コントローラ１０は、ストレージ９に記憶されているプログラムに含まれる命令を実行できる。コントローラ１０は、ストレージ９に記憶されているデータを必要に応じて参照できる。コントローラ１０は、データ及び命令に応じて機能部を制御する。コントローラ１０は、機能部を制御することによって、各種機能を実現する。機能部は、例えば、ディスプレイ２Ａ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、地磁気センサ１６、角速度センサ１７、ＧＰＳレシーバ１８、及び温度センサ１９を含むが、これらに限定されない。
【００４１】
コントローラ１０は、例えば、制御プログラム９Ａを実行することにより、タッチスクリーン２Ｂを介して判別されたジェスチャに応じて、ディスプレイ２Ａに表示されている情報を変更する等の各種制御を実行できる。
【００４２】
コントローラ１０は、制御プログラム９Ａを実行することにより、加速度センサ１５、地磁気センサ１６、角速度センサ１７、ＧＰＳレシーバ１８、及び温度センサ１９と協働する。コントローラ１０は、加速度センサ１５の検出結果に基づき、自機の移動状態を判別する処理を実行する。
【００４３】
スピーカ１１は、コントローラ１０から送信される音信号を音として出力できる。スピーカ１１は、例えば、着信音及び音楽を出力してもよい。レシーバ７及びスピーカ１１の一方が、他方の機能を兼ねてもよい。
【００４４】
カメラ１２及びカメラ１３は、撮影した画像を電気信号へ変換できる。カメラ１２は、ディスプレイ２Ａに面している物体を撮影するインカメラでもよい。カメラ１３は、ディスプレイ２Ａの反対側の面に面している物体を撮影するアウトカメラでもよい。カメラ１２及びカメラ１３は、インカメラ及びアウトカメラを切り換えて利用可能なカメラユニットとして、機能的及び物理的に統合された状態で電子機器１に実装されてもよい。
【００４５】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部電源、外部ストレージ、スピーカ、及び通信装置を含むが、これらに限定されない。
【００４６】
加速度センサ１５は、電子機器１に作用する加速度の方向及び大きさを検出できる。加速度センサ１５は、検出した加速度値をコントローラ１０に送出できる。コントローラ１０は、加速度センサ１５により検出される加速度の方向及び大きさ、または加速度の方向及び大きさの時系列変化を含む加速度パターンに基づいて、自機の移動状態の変化を検出してもよい。
【００４７】
地磁気センサ１６は、例えば、地磁気を計測することにより、電子機器１の向き（方位）を検出できる。地磁気センサ１６は、検出した地磁気値をコントローラ１０に送出できる。地磁気センサ１６は、２軸タイプおよび３軸タイプのいずれであってもよい。地磁気センサ１６は、磁界の向き及び大きさを検出してもよい。コントローラ１０は、地磁気センサ１６により検出される地磁気値に基づいて、利用者の進行方向を検出できる。
【００４８】
角速度センサ１７は、例えば、電子機器１の角速度の大きさ及び方向を測定できる。角速度センサ１７は、検出した角速度値をコントローラ１０に送出できる。コントローラ１０は、角速度センサ１７により検出される角速度の大きさ及び方向、又は角速度の方向及び大きさの時系列変化を含む角速度パターンに基づいて、電子機器１の向きの変化を検出できる。コントローラ１０は、例えば地磁気を検出できない環境等において、電子機器１の方位を電子機器１の向きの変化に基づいて変更できる。
【００４９】
ＧＰＳレシーバ１８は、電子機器１の現在位置を検出できる。ＧＰＳレシーバ１８は、ＧＰＳ衛星からの所定の周波数帯の電波信号を受信し、受信した電波信号の復調処理を行って、処理後の信号をコントローラ１０に送出できる。ＧＰＳレシーバ１８は、ＧＰＳ衛星から受信した信号の測位感度、追跡感度等を特定できる。測位感度は、例えば、ＧＰＳレシーバ１８が測位可能な最低電力レベルを含む。追跡感度は、例えば、個々の衛星の追跡が可能な最低電力レベルを含む。ＧＰＳレシーバ１８は、特定した信号の測位感度、追跡感度等を示す情報をコントローラ１０に送出できる。例えば、ＧＰＳレシーバ１８は、位置精度、位置偏差、ノイズフィギュア、測位時間などの情報をコントローラ１０に送出してもよい。
【００５０】
温度センサ１９は、電子機器１の周囲の温度を検出できる。例えば、温度センサ１９は、サーミスタ等を含む。例えば、温度センサ１９の検出結果は、利用者が屋内から屋外へ出たこと、利用者が屋外から屋内へ入ったことを検出するのに用いられる。
【００５１】
コントローラ１０は、加速度センサ１５、地磁気センサ１６、及び角速度センサ１７の各出力を組み合わせて利用してよい。複数のセンサの出力を組み合わせて利用することで、電子機器１は、自機の動きを高度に反映させた制御をコントローラ１０によって実行できる。電子機器１は、加速度センサ１５、地磁気センサ１６、及び角速度センサ１７を組み合わせて利用することで、利用者が歩いた歩数及び方向を検出することができる。加速度センサ１５、地磁気センサ１６、および角速度センサ１７は、１つのモーションセンサとして利用してよい。
【００５２】
図１においてストレージ９が記憶するプログラム及びデータの一部又は全部は、通信ユニット６による無線通信で他の装置からダウンロードされてもよい。図１においてストレージ９が記憶するプログラム及びデータの一部又は全部は、ストレージ９に含まれる読み取り装置が読み取り可能な非一過的な記憶媒体に記憶されていてもよい。図１においてストレージ９が記憶するプログラム及びデータの一部又は全部は、コネクタ１４に接続される装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００５３】
図２は、電子機器１による制御の一例の処理手順を示すフローチャートである。図２に示す処理手順は、コントローラ１０が制御プログラム９Ａを実行することによって実現される。図２に示す処理手順は、ＧＰＳレシーバ１８による位置の検出機能が有効であることを示す情報が設定データ９Ｚに設定されている場合に、コントローラ１０によって繰り返し実行される。図２に示す処理手順は、ＧＰＳレシーバ１８による位置の検出機能が無効であることを示す情報が設定データ９Ｚに設定されている場合、コントローラ１０によって実行されない。
【００５４】
図２に示すように、電子機器１のコントローラ１０は、ステップＳ１０１として、ＧＰＳレシーバ１８から感度に関する情報を取得する。例えば、感度に関する情報は、測位衛星から受信した信号に関する測位感度、追跡感度等を示す情報を含む。
【００５５】
コントローラ１０は、ステップＳ１０２として、ＧＰＳレシーバ１８の検出精度が悪化したか否かを判定する。例えば、コントローラ１０は、ＧＰＳレシーバ１８の感度が所定の値よりも劣化した場合に、ＧＰＳレシーバ１８の検出精度が悪化したと判定する。例えば、コントローラ１０は、ＧＰＳレシーバ１８による位置の計測が不能となっている場合に、ＧＰＳレシーバ１８の検出精度が悪化したと判定する。コントローラ１０は、ＧＰＳレシーバ１８の検出精度が悪化していないと判定した場合（ステップＳ１０２でＮｏ）、図２に示す処理手順を終了させる。コントローラ１０は、ＧＰＳレシーバ１８の検出精度が悪化したと判定した場合（ステップＳ１０２でＹｅｓ）、処理をステップＳ１０３に進める。
【００５６】
コントローラ１０は、ステップＳ１０３として、通信ユニット６による他機との通信を抑制する。他機は、例えば、車両に搭載される通信装置、路側機等を含む。例えば、利用者は、ＧＰＳレシーバ１８の検出精度が悪化している場合、屋内、地下等の安全な場所にいる可能性が高い。例えば、他機との近距離無線による通信を抑制する場合、コントローラ１０は、通信ユニット６による他機への各種情報の送信を行わず、通信ユニット６による他機からの信号の受信を行うことができる。コントローラ１０は、他機との通信の抑制を開始すると、処理をステップＳ１０４に進める。
【００５７】
コントローラ１０は、ステップＳ１０４として、ＧＰＳレシーバ１８から感度に関する情報を取得すると、処理をステップＳ１０５に進める。
【００５８】
コントローラ１０は、ステップＳ１０５として、ＧＰＳレシーバ１８の検出精度が回復したか否かを判定する。例えば、コントローラ１０は、ＧＰＳレシーバ１８の感度が所定の値よりも劣化していない場合、ＧＰＳレシーバ１８の検出精度が回復したと判定する。例えば、コントローラ１０は、ＧＰＳレシーバ１８による位置の計測が可能となった場合、ＧＰＳレシーバ１８の検出精度が回復したと判定する。コントローラ１０は、ＧＰＳレシーバ１８の検出精度が回復していないと判定した場合（ステップＳ１０５でＮｏ）、処理を既に説明したステップＳ１０４に戻す。コントローラ１０は、ＧＰＳレシーバ１８の検出精度が回復したと判定した場合（ステップＳ１０５でＹｅｓ）、処理をステップＳ１０６に進める。
【００５９】
コントローラ１０は、ステップＳ１０６として、通信ユニット６による他機との通信の抑制を解除する。例えば、利用者は、悪化していたＧＰＳレシーバ１８の検出精度が回復した場合、安全な場所から屋外へ移動した可能性が高い。例えば、コントローラ１０は、通信の抑制を解除することにより、通信ユニット６による他機との情報の送受信を可能とすることができる。コントローラ１０は、他機との通信の抑制を解除すると、図２に示す処理手順を終了させる。
【００６０】
電子機器１は、ＧＰＳレシーバ１８の検出精度が悪化した場合、屋内、地下等の交通事故に遭遇する可能性が低い安全な場所に利用者がいると推定できる。電子機器１は、ＧＰＳレシーバ１８の検出精度が悪化すると、通信ユニット６による他機との通信を抑制することができる。その結果、電子機器１は、ＧＰＳレシーバ１８の検出精度の状態に応じた、利便性の高い他機との通信方法を提供できる。電子機器１は、ＧＰＳレシーバ１８の検出精度が悪化している間は、通信ユニット６の消費電力を抑制することができるため、自機のバッテリーを長持ちさせることができる。例えば、電子機器１は、利用者の存在を自機の近傍に位置する他機に通知する場合、ＧＰＳレシーバ１８の検出精度が悪化すると、当該通知を抑制することができる。その結果、電子機器１は、ＧＰＳレシーバ１８の位置の検出機能が有効である場合、不要な他機との通信が減るため、通信トラフィックを低減させることができる。
【００６１】
電子機器１は、ＧＰＳレシーバ１８の検出精度が回復した場合、利用者が安全な場所から離れたと推定できる。電子機器１は、ＧＰＳレシーバ１８の検出精度が回復すると、通信ユニット６による他機との通信の抑制を自動で解除することができる。その結果、電子機器１は、利用者が安全な場所にいるか否かに応じて、通信ユニット６による他機との通信の抑制を制御することができる。
【００６２】
以下に実施形態の他の例に係る電子機器１について説明する。実施形態の他の一例に係る電子機器１は、制御プログラム９Ａの機能が異なる点を除いて、図１に示した電子機器１と同様の構成を有する。
【００６３】
図３は、電子機器１による制御の他の一例の処理手順を示すフローチャートである。図３に示す処理手順は、コントローラ１０が制御プログラム９Ａを実行することによって実現される。図３に示す処理手順は、ＧＰＳレシーバ１８による位置の検出機能が有効であることを示す情報が設定データ９Ｚに設定されている場合に、コントローラ１０によって繰り返し実行される。図３に示す処理手順は、ＧＰＳレシーバ１８による位置の検出機能が無効であることを示す情報が設定データ９Ｚに設定されている場合、コントローラ１０によって実行されない。
【００６４】
図３に示す例では、ステップＳ１０１からステップＳ１０３及びステップＳ１０６の処理は、図２に示すステップＳ１０１からステップＳ１０３及びステップＳ１０６の処理と同一であるため、異なる部分のみを説明し、同一部分の説明は省略する。
【００６５】
図３に示すように、電子機器１のコントローラ１０は、ステップＳ１０３で通信ユニット６による他機との通信を抑制すると、処理をステップＳ１１１に進める。コントローラ１０は、ステップＳ１１１として、加速度データ９Ｂに基づいて自機の状態を判別する。例えば、コントローラ１０は、加速度データ９Ｂの加速度パターンと判別データ９Ｄの状態ごとの加速度パターンとを比較し、一致する判別データ９Ｄの加速度パターンに対応した状態を、自機の状態として判別する。コントローラ１０は、判別した状態を状態データ９Ｃに記憶する。
【００６６】
コントローラ１０は、ステップＳ１１２として、自機の状態が乗り物での移動状態へ遷移したか否かを判定する。例えば、コントローラ１０は、ステップＳ１１１によって乗り物での移動状態と判別し、当該判別前の状態が静止状態、停止状態等の他の状態であった場合に、乗り物での移動状態へ遷移したと判別する。コントローラ１０は、乗り物での移動状態へ遷移していないと判定した場合（ステップＳ１１２でＮｏ）、処理を既に説明したステップＳ１１１に戻す。コントローラ１０は、乗り物での移動状態へ遷移したと判定した場合（ステップＳ１１２でＹｅｓ）、処理を既に説明したステップＳ１０６に進める。コントローラ１０は、ステップＳ１０６の処理を終了すると、図３に示す処理手順を終了させる。
【００６７】
図３に示す一例では、電子機器１は、通信の抑制を解除する条件を、乗り物での移動状態への遷移とした場合について説明したが、これに限定されない。例えば、電子機器１は、図１に示す一例と同様に、ＧＰＳレシーバ１８の検出精度の回復を、通信の抑制を解除する条件に追加してもよい。
【００６８】
電子機器１は、ＧＰＳレシーバ１８の検出精度が悪化した後、自機の状態が乗り物での移動状態へ遷移した場合、通信ユニット６による他機との通信の抑制を解除することができる。電子機器１は、ＧＰＳレシーバ１８の検出精度の状態に応じて、利用者が安全な場所から移動したことを推定することができる。例えば、乗り物が自動車、電車等である場合、利用者は交通弱者にならない。このような場合、電子機器１は、通信ユニット６による他機との通信の抑制を継続させてもよい。
【００６９】
図４は、電子機器１による制御の他の一例の処理手順を示すフローチャートである。図４に示す処理手順は、コントローラ１０が制御プログラム９Ａを実行することによって実現される。図４に示す処理手順は、ＧＰＳレシーバ１８による位置の検出機能が有効であることを示す情報が設定データ９Ｚに設定されている場合に、コントローラ１０によって繰り返し実行される。図４に示す処理手順は、ＧＰＳレシーバ１８による位置の検出機能が無効であることを示す情報が設定データ９Ｚに設定されている場合、コントローラ１０によって実行されない。
【００７０】
図４に示す例では、ステップＳ１０１からステップＳ１０６の処理は、図２に示すステップＳ１０１からステップＳ１０６の処理と同一であるため、異なる部分のみを説明し、同一部分の説明は省略する。
【００７１】
図４に示すように、電子機器１のコントローラ１０は、ＧＰＳレシーバ１８の検出精度が回復していないと判定した場合（ステップＳ１０５でＮｏ）、処理をステップＳ１２１に進める。コントローラ１０は、ステップＳ１２１として、加速度センサ１５、角速度センサ１７、及び地磁気センサ１６の検出結果に基づいて、利用者が歩いた歩数と方向を検出する。例えば、コントローラ１０は、歩数計数プログラムを実行することにより、検出した加速度に基づいて、自機を携帯する利用者の歩数を検出する。例えば、コントローラ１０は、歩数計数プログラムを実行することにより、検出した角速度、地磁気等に基づいて、利用者の歩行している方向を検出する。コントローラ１０は、検出した歩数及び方向をストレージ９に記憶し、処理をステップＳ１２２に進める。
【００７２】
コントローラ１０は、ステップＳ１２２として、ＧＰＳレシーバ１８の検出精度が悪化したと判定した位置に、利用者が戻ったか否かを推定する。例えば、コントローラ１０は、ＧＰＳレシーバ１８の検出精度が悪化したと判定した後に検出した利用者の歩数及び方向と設定データ９Ｚの第１閾値とに基づいて、当該位置に利用者が戻ったか否かを推定する。例えば、利用者は、安全な場所に入った位置に戻った場合、安全な場所から出る可能性がある。この場合、ＧＰＳレシーバ１８の検出精度は、回復する可能性がある。コントローラ１０は、利用者が安全な場所に入った位置に戻ったことを推定することにより、ＧＰＳレシーバ１８の検出精度の回復を推定できる。コントローラ１０は、推定結果をストレージ９に記憶すると、処理をステップＳ１２３に進める。
【００７３】
コントローラ１０は、ステップＳ１２３として、ステップＳ１２２の推定結果に基づいて、利用者が戻ったと推定したか否かを判定する。コントローラ１０は、利用者が戻ったと推定していないと判定した場合（ステップＳ１２３でＮｏ）、処理を既に説明したステップＳ１０４に戻す。コントローラ１０は、利用者が戻ったと推定していると判定した場合（ステップＳ１２３でＹｅｓ）、処理を既に説明したステップＳ１０６に進める。コントローラ１０は、ステップＳ１０６の処理を終了すると、図４に示す処理手順を終了させる。
【００７４】
図４に示す一例では、電子機器１は、通信の抑制を解除する条件として、ＧＰＳレシーバ１８の検出精度の回復を用いる場合について説明したが、これに限定されない。例えば、電子機器１は、通信の抑制を解除する条件として、ＧＰＳレシーバ１８の検出精度の回復を用いなくてもよい。
【００７５】
電子機器１は、ＧＰＳレシーバ１８の検出精度が悪化した後、ＧＰＳレシーバ１８の検出精度が回復していない場合、ＧＰＳレシーバ１８の検出精度が悪化したと判定した位置に利用者が戻ると、通信ユニット６による他機との通信の抑制を解除することができる。その結果、電子機器１は、利用者が安全な場所に入ってからその地点に戻ってくるまでの間、通信ユニット６による他機との通信を抑制することができるため、利便性の高い他機との通信方法を提供できる。
【００７６】
図５は、電子機器１による制御の他の一例の処理手順を示すフローチャートである。図５に示す処理手順は、コントローラ１０が制御プログラム９Ａを実行することによって実現される。図５に示す処理手順は、ＧＰＳレシーバ１８による位置の検出機能が有効であることを示す情報が設定データ９Ｚに設定されている場合に、コントローラ１０によって繰り返し実行される。図５に示す処理手順は、ＧＰＳレシーバ１８による位置の検出機能が無効であることを示す情報が設定データ９Ｚに設定されている場合、コントローラ１０によって実行されない。
【００７７】
図５に示す例では、ステップＳ１０１からステップＳ１０６の処理は、図２に示すステップＳ１０１からステップＳ１０６の処理と同一であるため、異なる部分のみを説明し、同一部分の説明は省略する。
【００７８】
図５に示すように、電子機器１のコントローラ１０は、ＧＰＳレシーバ１８の検出精度が回復していないと判定した場合（ステップＳ１０５でＮｏ）、処理をステップＳ１３１に進める。コントローラ１０は、ステップＳ１３１として、温度センサ１９の検出結果に基づいて、ＧＰＳレシーバ１８の検出精度が悪化したと判定した後の温度の変化を検出する。例えば、コントローラ１０は、温度データ９Ｆから所定期間における温度の変化を検出する。所定期間は、例えば、現時点から一定時間遡った時間までの期間を含む。
【００７９】
コントローラ１０は、ステップＳ１３２として、所定の温度変化を検出したか否かを判定する。例えば、コントローラ１０は、検出した温度変化が設定データ９Ｚの第２閾値よりも大きい場合、所定の温度変化を検出したと判定する。コントローラ１０は、所定の温度変化を検出していないと判定した場合（ステップＳ１３２でＮｏ）、処理を既に説明したステップＳ１０４に戻す。コントローラ１０は、所定の温度変化を検出したと判定した場合（ステップＳ１３２でＹｅｓ）、処理を既に説明したステップＳ１０６に進める。コントローラ１０は、ステップＳ１０６の処理を終了すると、図５に示す処理手順を終了させる。
【００８０】
図５に示す一例では、電子機器１は、通信の抑制を解除する条件として、ＧＰＳレシーバ１８の検出精度の回復を用いる場合について説明したが、これに限定されない。例えば、電子機器１は、通信の抑制を解除する条件として、ＧＰＳレシーバ１８の検出精度の回復を用いなくてもよい。
【００８１】
電子機器１は、ＧＰＳレシーバ１８の検出精度が悪化した後、ＧＰＳレシーバ１８の検出精度が回復していない場合、所定の温度変化を検出すると、通信ユニット６による他機との通信の抑制を解除することができる。その結果、電子機器１は、利用者が安全な場所に留まっている間、通信ユニット６による他機との通信を抑制することができるため、利便性の高い他機との通信方法を提供できる。
【００８２】
図６は、電子機器１による制御の他の一例の処理手順を示すフローチャートである。図６に示す処理手順は、コントローラ１０が制御プログラム９Ａを実行することによって実現される。図６に示す処理手順は、ＧＰＳレシーバ１８による位置の検出機能が有効であることを示す情報が設定データ９Ｚに設定されている場合に、コントローラ１０によって繰り返し実行される。図６に示す処理手順は、ＧＰＳレシーバ１８による位置の検出機能が無効であることを示す情報が設定データ９Ｚに設定されている場合、コントローラ１０によって実行されない。
【００８３】
図６に示す例では、ステップＳ１０１からステップＳ１０６の処理は、図２に示すステップＳ１０１からステップＳ１０６の処理と同一であるため、異なる部分のみを説明し、同一部分の説明は省略する。
【００８４】
図６に示すように、電子機器１のコントローラ１０は、ＧＰＳレシーバ１８の検出精度が悪化していないと判定した場合（ステップＳ１０２でＮｏ）、処理をステップＳ１４１に進める。コントローラ１０は、ステップＳ１４１として、加速度データ９Ｂに基づいて自機の状態を判別し、処理をステップＳ１４２に進める。
【００８５】
コントローラ１０は、ステップＳ１４２として、ステップＳ１４１の判別結果に基づいて、自機の状態が乗り物での移動状態であるか否かを判定する。コントローラ１０は、乗り物での移動状態ではないと判定した場合（ステップＳ１４２でＮｏ）、図６に示す処理手順を終了させる。コントローラ１０は、乗り物での移動状態であると判定した場合（ステップＳ１４２でＹｅｓ）、処理をステップＳ１４３に進める。
【００８６】
コントローラ１０は、ステップＳ１０３と同様に、ステップＳ１４３として、通信ユニット６による他機との通信を抑制し、処理をステップＳ１４４に進める。コントローラ１０は、ステップＳ１４４として、加速度データ９Ｂに基づいて自機の状態を判別し、処理をステップＳ１４５に進める。
【００８７】
コントローラ１０は、ステップＳ１４５として、ステップＳ１４４の判別結果に基づいて、自機の状態が乗り物での移動状態から他の状態へ遷移したか否かを判定する。コントローラ１０は、乗り物での移動状態から他の状態へ遷移していないと判定した場合（ステップＳ１４５でＮｏ）、処理を既に説明したステップＳ１４４に戻す。コントローラ１０は、乗り物での移動状態から他の状態へ遷移したと判定した場合（ステップＳ１４５でＹｅｓ）、処理をステップＳ１４６に進める。
【００８８】
コントローラ１０は、ステップＳ１０６と同様に、ステップＳ１４６として、通信ユニット６による他機との通信の抑制を解除する。コントローラ１０は、通信の抑制を解除すると、図６に示す処理手順を終了させる。
【００８９】
電子機器１は、ＧＰＳレシーバ１８の検出精度が悪化していない場合、車両、電車等の乗り物での移動状態であると、通信ユニット６による他機との通信を抑制することができる。その結果、電子機器１は、利用者が車両、電車等の乗り物で移動している間、通信ユニット６による他機との通信を抑制することができるため、利便性の高い他機との通信方法を提供できる。
【００９０】
上記の実施形態では、電子機器１は、図２から図６に示す処理手順の各々をコントローラ１０で実行する場合について説明したが、これに限定されない。例えば、図２から図６に示す処理手順は、それらを組み合わせた処理手順としてもよい。
【００９１】
図７は、報知システム１００のシステム構成の一例を示すシステム図である。図７を参照しつつ、上記の電子機器１を含む報知システム１００の一例について説明する。
【００９２】
図７に示すように、報知システム１００は、上記の電子機器１と、路側機２００と、車両３００と、を備える。路側機２００は、所定のエリアまたは所定のエリアの近傍に設けられている。所定のエリアは、例えば、道路、交差点、駐車場等のエリアを含む。所定のエリアは、例えば、交通事故が発生する可能性がある箇所を含むエリアとしてもよい。路側機２００は、所定のエリアの内部及び近傍の不特定多数の電子機器に電波を送出できる。車両３００は、例えば、自動車、トラック、バス、タクシー、緊急車両等を含む。車両３００は、車載装置３１０を備える。車載装置３１０は、例えば、路側機２００からの電波が受信可能なように、車両３００に搭載されている。車載装置３１０は、例えば、ナビゲーション装置、ＥＴＣ（Ｅｌｅｃｔｒｏｎｉｃ  Ｔｏｌｌ  Ｃｏｌｌｅｃｔｉｏｎ  Ｓｙｓｔｅｍ）車載器、コンビネーションメータ、カーオーディオ等の車両３００に搭載される車載装置を含む。車載装置３１０は、例えば、運転者によって車両３００に持ち込まれる電子機器としてもよい。車両３００に持ち込まれる電子機器は、例えば、スマートフォン、携帯電話機、ウェアラブル装置、携帯ゲーム機等を含む。
【００９３】
路側機２００及び車載装置３１０は、通信部を有する。路側機２００と車載装置３１０とは、通信部を介して互いに双方向通信ができるように構成されている。路側機２００と車載装置３１０とは、通信部を介して、屋内及び屋外の電子機器１と近距離無線による双方向通信ができるように構成されている。路側機２００は、所定のエリアに関する情報を送信する機能を含む。車載装置３１０は、受信した情報を利用者に提供する機能を含む。
【００９４】
例えば、電子機器１を携帯する利用者は、屋外を歩行している。この場合、利用者は、自動車、バイク等の車両３００との交通事故の可能性がある交通弱者である。電子機器１は、交通弱者を守るために、車両３００等の運転者に対して利用者の存在を報知する機能を有している。電子機器１は、ＧＰＳレシーバ１８の検出精度が悪化していない場合、利用者が屋外の危険な場所にいると推定することができる。電子機器１は、利用者が安全な場所にいないと推定した場合、外部の他機に対する報知処理を実行する。
【００９５】
図７に示すように、電子機器１の近傍に通信可能な路側機２００と車載装置３１０とが存在する場合、電子機器１は、路側機２００と車載装置３１０とに、利用者の存在を報知するための報知情報Ｄを含む電波を近距離無線によって送信する。その結果、電子機器１は、利用者の存在を路側機２００、車載装置３１０等に報知できるため、利用者の安全性を向上させることができる。一方、車載装置３１０は、安全な場所にいない利用者が携帯する電子機器１からの報知情報Ｄを受信した場合、例えば、飛び出しの危険がある歩行者が近くにいることを運転者に報知することができる。その結果、運転者は、歩行者や自転車等の交通弱者との交通事故を回避できる可能性を向上することができる。また、路側機２００は、安全な場所にいない利用者が携帯する電子機器１からの報知情報Ｄを受信した場合、例えば、路側機２００に接近する車両３００、車載装置３１０等に対して当該報知情報Ｄを転送することができる。その結果、路側機２００は、車両３００と交通弱者との交通事故の回避に貢献することができる。
【００９６】
例えば、電子機器１を携帯する利用者は、屋外から自宅、会社等の建物５００内の安全な場所に入っている。電子機器１のＧＰＳレシーバ１８は、測位衛星からの信号を受信しにくい建物５００内に位置しているため、検出精度が悪化している。電子機器１は、ＧＰＳレシーバ１８の検出精度の悪化を検出すると、通信ユニット６による他機との通信を抑制する。電子機器１は、通信ユニット６による他機との通信を抑制している場合、他機に対する報知処理を実行しない。その結果、電子機器１は、通信ユニット６を動作させないので、消費電力の増加を抑制することができる。一方、車載装置３１０は、安全な場所にいる利用者が携帯する電子機器１からの報知を受信しないので、運転者に必要な情報のみを提供することができる。
【００９７】
上記の実施形態では、電子機器１は、ＧＰＳレシーバ１８の検出精度に基づいて、通信ユニット６による他機との通信を制御する場合について説明したが、これに限定されない。例えば、電子機器１は、ＧＰＳレシーバ１８の検出精度と、検出精度が悪化した位置とに基づいて、利用者が安全な場所にいるか否かを推定してもよい。この場合、電子機器１は、ＧＰＳレシーバ１８の検出精度の悪化を検出し、かつ、検出精度が悪化した位置が予め登録された位置である場合に、利用者が安全な場所にいると推定すればよい。
【００９８】
上記の実施形態では、電子機器１は、通信ユニット６による他機との通信を抑制している場合、他機に対する報知処理を実行しない場合について説明したが、これに限定されない。例えば、電子機器１は、通信ユニット６による他機との通信を定期的に繰り返し試行するものであれば、通信ユニット６による他機との通信を抑制している場合、他機に対する報知処理において、単位時間当たりの当該試行の回数を減らしてもよい。例えば、電子機器１は、通信ユニット６による他機との通信を抑制している場合、当該報知処理により送信するデータ量を減らしてもよい。
【００９９】
上記の実施形態では、衛星が出力する信号に基づいて自機の位置情報を検出する位置検出部として、ＧＰＳレシーバを例示したが、ＧＰＳ衛星以外の測位衛星が出力する信号に基づいて自機の位置情報を検出するものを用いてもよい。ＧＰＳ衛星以外の測位衛星は、例えば、ＧＬＯＮＡＳＳ（Ｇｌｏｂａｌ  Ｎａｖｉｇａｔｉｏｎ  Ｓａｔｅｌｌｉｔｅ  Ｓｙｓｔｅｍ）、ＩＲＮＳＳ（Ｉｎｄｉａｎ  Ｒｅｇｉｏｎａｌ  Ｎａｖｉｇａｔｉｏｎａｌ  Ｓａｔｅｌｌｉｔｅ  Ｓｙｓｔｅｍ）、ＣＯＭＰＡＳＳ、ＧＡＬＩＬＥＯ等の測位衛星である。
【０１００】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【０１０１】
１  電子機器
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  加速度データ
９Ｃ  状態データ
９Ｄ  判別データ
９Ｅ  位置データ
９Ｆ  温度データ
９Ｚ  設定データ
１０  コントローラ
１１  スピーカ
１２、１３  カメラ
１４  コネクタ
１５  加速度センサ
１６  地磁気センサ
１７  角速度センサ
１８  ＧＰＳレシーバ
１９  温度センサ
【図１】
2018033034.tif 000003
【図２】
2018033034.tif 000004
【図３】
2018033034.tif 000005
【図４】
2018033034.tif 000006
【図５】
2018033034.tif 000007
【図６】
2018033034.tif 000008
【図７】
2018033034.tif 000009